(57)【要約】【課題】製造費用を削減でき、留める宝石をより輝かせることが可能な宝飾品、特にフルエタニティリングを提供する。【解決手段】座の中心から対称的な放射方向外側の４方向に向かって、それぞれ所定距離Ｘだけ離れた位置を中心として、Ｘより小さい値のＹを半径とするフライス加工を行う第１工程と、それぞれの座の中心に、（Ｘ−Ｙ）より大きい値のＺを半径とする穴（１４）をあける第２工程とを有し、第１工程で得られる２つの外側凹状面（１１）、および第２工程で得られる内側凹状面（１５）により、それぞれの座に４つの爪（２０、２１、２２、２３）が形成される。外側凹状面（１１）は、座の中心から放射方向外側に向かって傾斜する。さらに、第１工程および第２工程を、ＮＣ機械を使用して、連続して実施する。【選択図】図１
2009050441.tif 000002
【特許請求の範囲】
【請求項１】
座の中心から対称的な放射方向外側の４方向に向かって、それぞれ所定距離Ｘだけ離れた位置を中心として、Ｘより小さい値のＹを半径とするフライス加工を行う第１工程と、それぞれの座の中心に、（Ｘ−Ｙ）より大きい値のＺを半径とする穴をあける第２工程とを有し、第１工程で得られる２つの外側凹状面、および第２工程で得られる内側凹状面により、それぞれの座に４つの爪が形成されることを特徴とする宝飾品の製造方法。
【請求項２】
前記外側凹状面が、座の中心から放射方向外側に向かって傾斜することを特徴とする請求項１に記載の宝飾品の製造方法。
【請求項３】
第１工程および第２工程を、ＮＣ機械を使用して、連続して実施することを特徴とする請求項１または２に記載の宝飾品の製造方法。
【請求項４】
加圧素材からなり、請求項１から３のいずれかに記載の宝飾品の製造方法により、切削加工で１つ以上の座が形成され、該座に宝石が留められた宝飾品。
【請求項５】
加圧素環からなり、請求項１から３のいずれかに記載の宝飾品の製造方法により、切削加工で１つ以上の座が形成され、該座に宝石が留められたリング。
【請求項６】
フルエタニティリングであることを特徴とする請求項５に記載のリング。
【発明の詳細な説明】
【技術分野】
【０００１】
本発明は、宝飾品に関し、特に、高級感が得られるフルエタニティリングに関する。
【背景技術】
【０００２】
夫婦などのパートナーの間で宝飾品をプレゼント交換する習慣が広く馴染んできており、特に、結婚生活の大きな節目に、記念日リングとして、フルエタニティリングが大変に人気のある商品として流通している。フルエタニティリングは、全周に同等のダイヤモンドまたは宝石を配置した指輪であり、特に、全周にわたって均一で、高い輝きを放つことが求められる。さらに、軸方向に２列から５列のように、全周に同等のダイヤモンドまたは宝石を配置したフルエタニティリングは、整然とした美しい輝きが得られる。
【０００３】
このようなフルエタニティリングを含めて、従来のリングは、例えば、特開平９−２３４５４２号公報に記載されているブラスターモールド法や、特開平５−１２３８２３号公報に記載されているようなロストワックス法などにより、デザインされた型で鋳造によってリングを造り、やすり（鑢）加工などにより製造されている。特に、宝石を留める爪は、職人が拡大鏡を使用して、１つずつ、たがね（鏨）で形成する。しかし、爪の数は、留める宝石の数の４倍になり、例えば、２９の座を有するフルエタニティリングの場合は、１１６の爪が必要であり、軸方向に５列で並ぶフルエタニティリングの座の数は１４５になり、合計で５８０の爪を形成することになり、製造に係る時間およびコストが高いという問題があった。
【０００４】
また、鋳造によりリングなどを製造すると、鋳造されたままの貴金属には高い硬度が得られない。このため、一般に小さい粒のダイヤモンドなどを留めるフルエタニティリングは、土台となるリングも細くなり、強度が得られにくいという問題があった。また、強度的に精密な加工が難しいため、小さい爪などの座を得られにくいという問題があった。
【０００５】
さらに、貴金属を鋳造して得られる土台は、加工を行った後も、表面の反射光が劣るため、全ての面に研磨加工を必要とする。しかし、精緻に加工された座の奥などは、研磨加工を行うことが困難であったため、研磨加工をしない座の上に、宝石を配置することとなる。従って、宝石の裏面から出る光が、研磨加工されない面に当たると、宝石に向かって反射することなく、散乱するため、フルエタニティリング全体の輝きが低く、高級感が得られにくいという問題があった。
【０００６】
以上のような問題を解決するために、特開２００６−１５８６７２号公報には、切削加工で爪を得る宝飾品、特にフルエタニティリングが記載されている。このように得られた宝飾品は、留める宝石をより輝かせることが可能であるが、製造費用をさらに削減でき、かつ、留める宝石をより輝かせることが要望される。
【特許文献１】特開平９−２３４５４２号公報
【特許文献２】特開平５−１２３８２３号公報
【特許文献３】特開２００６−１５８６７２号公報
【発明の開示】
【発明が解決しようとする課題】
【０００７】
本発明は、製造費用を削減でき、留める宝石をより輝かせることが可能な宝飾品、特にフルエタニティリングを提供することを目的とする。
【課題を解決するための手段】
【０００８】
本発明の宝飾品の製造方法は、座の中心から対称的な放射方向外側の４方向に向かって、それぞれ所定距離Ｘだけ離れた位置を中心として、Ｘより小さい値のＹを半径とするフライス加工を行う第１工程と、それぞれの座の中心に、（Ｘ−Ｙ）より大きい値のＺを半径とする穴をあける第２工程とを有し、第１工程で得られる２つの外側凹状面、および第２工程で得られる内側凹状面により、それぞれの座に４つの爪が形成する。
【０００９】
さらに、外側凹状面が、座の中心から放射方向外側に向かって傾斜することが好ましい。
【００１０】
さらに、第１工程および第２工程を、ＮＣ機械を使用して、連続して実施することが好ましい。
【００１１】
本発明の宝飾品は、加圧素材からなり、前記の宝飾品の製造方法のいずれかにより、切削加工で１つ以上の座が形成され、該座に宝石が留められる。
【００１２】
本発明のリングは、加圧素環からなり、前記の宝飾品の製造方法のいずれかにより、切削加工で１つ以上の座が形成され、該座に宝石が留められ、フルエタニティリングが最も好適である。
【発明の効果】
【００１３】
本発明により、製造費用を削減でき、留める宝石をより輝かせることが可能な宝飾品、特にフルエタニティリングを提供することが可能となった。また、ＮＣ機械により一度に加工することが可能であることにより、さらに安価で製造することが可能となった。
【００１４】
特に、貴金属の中でもプラチナは、材料の特性である高い靭性、いわゆるねばっこさがあり、そのため、仕上げ磨きの困難さがあったが、本発明では、例えばフライス加工により、充分な鏡面が得られて、研磨加工をしないままで、宝石に向く面と、宝石が並ぶ面とにおいて、充分な光沢が得られるという効果を得ることができた。
【発明を実施するための最良の形態】
【００１５】
本発明の宝飾品は、加圧素材からなり、切削加工で１つ以上の座が形成され、座に宝石が留められる宝飾品であり、具体的には、装身具の一部、携行品の一部や、ネックレス、ブローチまたはイヤリングなどである。従って、平板状や、わずかに湾曲した加圧素材を使用して、任意の位置に座を形成して、座に宝石を留めて製造される。
【００１６】
特に、本発明のリングは、加圧素環からなり、切削加工で１つ以上の座が形成され、座に宝石が留められる。座には、宝石の一部に係合可能な爪を含む。座を周方向に均等間隔で、全周に設ければ、フルエタニティリングとなる。
【００１７】
本明細書では、加圧素材は、引き抜き加工のような加工により製造された素材などをいう。さらに、加圧素環は、管状に形成され、任意の幅の環状に切断された素材をいう。これらは、鋳造品と比して、非常に堅く、切断面や加工面における光の反射率が高い。
【００１８】
以下に、本発明の宝飾品の製造方法を、図面を参照して説明する。図２から４は、１つの座の製造過程を示す斜視図である。図５は、本発明のフルエタニティリングの一実施例を示した側面図である。
【００１９】
使用されるＮＣ機械およびフライス加工の装置などは、市販品でよい。
【００２０】
（１）第１工程
加圧素環に対して、座の中心から対称的な放射方向外側の４方向に向かって、それぞれ所定距離Ｘだけ離れた位置を中心として、Ｘより小さい値のＹを半径とするフライス加工を行う。従って、図３に示したように、外側凹状面（１１）と、反射面（１２、１３）とが対称的に形成される。図示したフライス加工は、軸方向に対して、平行方向および垂直方向であるが、軸方向に対して任意の角度でずれていてもよい。
【００２１】
さらに、フライス工具の先端を、座の中心から放射方向外側に向かって傾斜して進入させたり、先端部より基部側が太い形状のフライス工具を使用することにより、外側凹状面が、座の中心から放射方向外側に向かって傾斜するように形成する。このように傾斜することにより、残される部分は、略四角錐台の形状となる。
【００２２】
（２）第２工程
それぞれの座の中心に、（Ｘ−Ｙ）より大きい値のＺを半径とする穴をあける。
【００２３】
従って、図４に示したように、穴（１４）と、内側凹状面（１５）とが形成され、第１工程で得られる２つの外側凹状面（１１）とにより、それぞれの座に４つの爪（２０、２１、２２、２３）が形成される。
【００２４】
その後、図５に示されるように、得られた爪（２０、２１、２２、２３）の間に宝石（２）を配置してから、爪（２０、２１、２２、２３）をかしめることにより、フルエタニティリングリングを容易に製造することができる。
【００２５】
Ｘ、Ｙ、Ｚ、および工具が進入する傾斜の角度は、爪のデザインを決定する事項であり、本発明の主旨に応じて、任意に決定することができる。
【図面の簡単な説明】
【００２６】
【図１】本発明の宝飾品の一実施例において、１つの座を示す斜視図である。
【図２】１つの座の製造過程を示す斜視図である。
【図３】１つの座の製造過程を示す斜視図である。
【図４】１つの座の製造過程を示す斜視図である。
【図５】本発明のフルエタニティリングの一実施例を示した側面図である。
【符号の説明】
【００２７】
１  フルエタニティリング
２  宝石
１１  外側凹状面
１２、１３  反射面
１４  穴
１５  内側凹状面
２０、２１、２２、２３  爪
【図１】
2009050441.tif 000003
【図２】
2009050441.tif 000004
【図３】
2009050441.tif 000005
【図４】
2009050441.tif 000006
【図５】
2009050441.tif 000007